(57)【要約】      （修正有）【課題】ワイヤに物品を吊り下げても支持金物が簡単に外れることがない強い固定を実現可能な支持金物及びその支持金物を適用した吊りシステムを提供する。【解決手段】支持金物１０は、角部から直角方向に延びる２つの壁に取り付けられ、ワイヤ５０を支持するものであり、板形状に形成され、外面が一方の壁に当接する第１平板部１１ａと、板形状に形成され、外面が他方の壁と当接する第２平板部１１ｂと、を備え、第１平板部の側縁と第２平板部の側縁とが接続され、上面視でＬ字形状を形成し、第１平板部の内面と、第２平板部の内面とに接続され、ねじが挿通可能な孔部１２ａを有する固定部１２と、第１平板部の側縁と前記第２部材の側縁との接続部に形成され、孔部に挿通されたねじが挿通される孔部１１ｃと、ワイヤを係止する係止部１３を有する。【選択図】図２
0003233290.tif 000002
【実用新案登録請求の範囲】
【請求項１】
一方の壁と、前記一方の壁に接続する他方の壁とが接続する入隅に取り付けられ、紐状部材を支持する支持金物であって、
板形状に形成され、外面が前記一方の壁と当接する第１部材と、
板形状に形成され、外面が前記他方の壁と当接する第２部材と、を備え、
前記第１部材の側縁と、前記第２部材の側縁とが接続され、上面視でＬ字形状を形成し、
前記第１部材の内面と、前記第２部材の内面とに接続され、ねじ部材が挿通可能な第１孔部を有する固定部と、
前記第１部材の側縁と前記第２部材の側縁との接続部に形成され、前記第１孔部に挿通されたねじ部材が挿通される第２孔部と、
前記紐状部材を係止する係止部と、を備えることを特徴とする支持金物。
【請求項２】
請求項１に記載の支持金物を含み、対象物を吊ることが可能な吊りシステムであって、
互いに異なる位置の複数の前記入隅に、それぞれ設けられる複数の前記支持金物と、
複数の前記支持金物に支持される前記紐状部材と、を備え、
前記紐状部材に、前記対象物を吊ることが可能なことを特徴とする吊りシステム。
【請求項３】
互いに隣設する２つの前記支持金物の間に配置され、
壁に固定される壁固定部と、
前記壁固定部に基端が接続され、先端側が壁から離れる方向に突出する突出部と、
前記突出部の先端側に設けられ、前記紐状部材を保持する保持部と、を有する保持金物を、更に備えることを特徴とする請求項２に記載の吊りシステム。
【考案の詳細な説明】
【技術分野】
【０００１】
本考案は、ワイヤを張設するために使用する支持金物及びその支持金物を適用した吊りシステムに関する。
【背景技術】
【０００２】
従来、壁面に絵画や写真を入れた額縁を配設するためにピクチャーレールが用いられる。ピクチャーレールは、壁面に固定された支持金物に取り付けられる。そして、額縁にワイヤの一端部を取り付け、ワイヤの他端部をピクチャーレールに掛けることにより、複数の絵画や写真が吊るされた状態で壁面に並べて配設される。また、従来、家具転倒防止用の固定金具にピクチャーレールを取り付けることが提案されている（特許文献１参照）。
【先行技術文献】
【特許文献】
【０００３】
【特許文献１】特開平９−７０３２７号公報
【考案の概要】
【考案が解決しようとする課題】
【０００４】
ところで、従来、部屋の中にワイヤを張設し、そのワイヤに物品を吊り下げることが行われている。ワイヤの設置は、ワイヤの両端部を支持するために最低二つの金具を部屋の所定場所に固定するだけで可能となるため、ピクチャーレールを取り付けるよりも比較的簡単に行うことが可能である。これにより、ワイヤを、物干し竿の代わりにしたり、写真や絵画を吊り下げること等に利用することが可能になる。
【０００５】
しかしながら、ワイヤに物品を吊り下げた場合、吊り下げた物品の重量分だけワイヤに張力が加わり、その張力が二つの金具に集中するため、二つの金具に対して、重量が加わっても簡単に外れることがないような強い固定が望まれる。特に、ワイヤを支持する金具が壁面に固定するものであれば、壁材が比較的脆い材質であったり、薄い板材である場合に、金具が外れるおそれがある。
【０００６】
本考案は、このような課題に対して鑑みなされたものであり、ワイヤに物品を吊り下げてもワイヤを支持する支持金物が簡単に外れることのない強い固定を実現可能な支持金物及びその支持金物を適用した吊りシステムを提供することを目的とする。
【課題を解決するための手段】
【０００７】
本考案は、前記目的を達成するため、次に記載する構成を備えている。
【０００８】
（１）  一方の壁と、前記一方の壁に接続する他方の壁とが接続する入隅に取り付けられ、紐状部材（例えば、ワイヤ５０）を支持する支持金物（例えば、支持金物１０）であって、
板形状に形成され、外面が前記一方の壁と当接する第１部材（例えば、第１平板部１１ａ）と、
板形状に形成され、外面が前記他方の壁と当接する第２部材（例えば、第２平板部１１ｂ）と、を備え、
前記第１部材の側縁と、前記第２部材の側縁とが接続され、上面視でＬ字形状を形成し、
前記第１部材の内面と、前記第２部材の内面とに接続され、ねじ部材が挿通可能な第１孔部（例えば、孔部１２ａ）を有する固定部（例えば、固定部１２）と、
前記第１部材の側縁と前記第２部材の側縁との接続部に形成され、前記第１孔部に挿通されたねじ部材が挿通される第２孔部（例えば、孔部１１ｃ）と、
前記紐状部材を係止する係止部と、を備えることを特徴とする支持金物。
【０００９】
（１）の構成によれば、ねじ部材によって支持金物を壁の入隅に固定する場合に、ねじ部材が入隅の背後に配置されている柱にねじ込まれる。しかも、ねじ部材が柱にねじ込まれることにより、ねじ部材の移動とともに固定部が入隅側に移動するため、第１部材及び第２部材が壁に密着するようになり、支持金物のがたつきを軽減することが可能になる。よって、紐状部材に物品を吊り下げても支持金物が簡単に外れることのない強い固定が実現可能になる。
【００１０】
（２）  （１）の支持金物を含み、対象物を吊ることが可能な吊りシステムであって、
互いに異なる位置の複数の前記入隅に、それぞれ設けられる複数の前記支持金物と、
複数の前記支持金物に支持される前記紐状部材と、を備え、
前記紐状部材に、前記対象物を吊ることが可能なことを特徴とする吊りシステム。
【００１１】
（２）の構成によれば、複数の支持金物が、互いに異なる位置の複数の入隅にそれぞれ設けられ、紐状部材が複数の支持金物によって支持される。これにより、複数の支持金物の間に紐状部材を張設することが可能になり、紐状部材に物品を吊り下げることが可能になる。しかも、支持金物の配置によって、紐状部材に吊り下げる物品に応じて、紐状部材の張り方を適宜設定することが可能になる。
【００１２】
（３）  （２）において、互いに隣設する２つの前記支持金物（例えば、支持金物１０ａ、１０ｂ）の間に配置され、
壁に固定される壁固定部（例えば、平板部３１ａ）と、
前記壁固定部に基端が接続され、先端側が壁から離れる方向に突出する突出部（例えば、平板部３１ｂ）と、
前記突出部の先端側に設けられ、前記紐状部材を保持する保持部（例えば、リング部３３）と、を有する保持金物（例えば、ワイヤ受けブラケット３０）を、更に備えることを特徴とする吊りシステム。
【００１３】
（３）の構成によれば、保持金物は、互いに隣設する支持金物の間に配置され、壁１０２に固定される壁固定部と、壁固定部に基端が接続され、先端側が壁から離れる方向に突出する突出部と、突出部の先端側に設けられ、紐状部材を保持する保持部と、を有する。これにより、互いに隣設する支持金物の間に張設される紐状部材の中央部の弛みを抑えることが可能になる。
【考案の効果】
【００１４】
本考案によれば、ワイヤに物品を吊り下げてもワイヤを支持する支持金物が簡単に外れることのない強い固定を実現可能な支持金物及びその支持金物を適用した吊りシステムを提供することができる。
【図面の簡単な説明】
【００１５】
【図１】本考案の一実施形態における吊りシステムの概要を示す平面図である。
【図２】支持金物１０の外観を示す斜視図である。
【図３】支持金物１０を上面視した構成を示す平面図である。
【図４】ワイヤ受けブラケット３０の外観を示す斜視図である。
【図５】ワイヤ受けブラケット３０の外観を示す斜視図である。
【考案を実施するための形態】
【００１６】
以下、本考案の実施形態について、図面を参照しながら詳細に説明する。
図１は、本考案の一実施形態における吊りシステムの概要を示す平面図である。
吊りシステム１は、支持金物１０と、ワイヤ受けブラケット３０と、ワイヤ５０と、を備える。支持金物１０及びワイヤ受けブラケット３０は、室内空間Ａの所定位置に固定され、この支持金物１０にワイヤ５０を張設させ、ワイヤ５０の所定部位をワイヤ受けブラケット３０に支持させる。
【００１７】
室内空間Ａは、例えば、図１に示すように、石膏ボードからなる壁材によって形成された壁１０２によって囲まれ、上方視矩形に形成されているとする。この矩形の四隅に木材からなる柱１００が配置されており、隣合う柱１００、１００との間に木材からなる複数の間柱１０１が並べて配置されている。これら間柱１０１に壁１０２を形成する壁材が固定される。
【００１８】
支持金物１０は、ワイヤ５０を支持する金物であり、柱１００を境に直角方向に延びる２つの壁１０２、１０２が接続する入隅に取り付けられる。
【００１９】
ワイヤ受けブラケット３０は、ワイヤ５０を支持する金物であり、ワイヤ５０を壁面から離したり、複数の支持金物１０によって張設されたワイヤ５０の弛みを抑えたりするなど、必要に応じて壁１０２に取り付けられる。
【００２０】
ワイヤ５０は、支持金物１０によって室内に張設される線状の金属部材である。ワイヤ５０は、両端部に例えばフックのような係止部材を備えるものが望ましい。また、長さを調整できる装置を具備しているものが望ましい。
【００２１】
図２は、支持金物１０の外観を示す斜視図である。支持金物１０は、本体部１１と、固定部１２と、係止部１３と、を備えている。
【００２２】
本体部１１は、平板状の矩形の金属板の中央部に９０度の曲げを施し、その曲げ部分に２カ所穿孔することによって形成されたものであり、第１平板部１１ａと、第２平板部１１ｂと、孔部１１ｃと、を備えている。なお、以下の説明において、本体部１１の曲げ部分が延びる直線方向を上下方向、第１平板部１１ａと第２平板部１１ｂとによって囲まれている側を内側、その反対側を外側と称する。
【００２３】
第１平板部１１ａ及び第２平板部１１ｂは同形であり、矩形の平板状に形成される。第１平板部１１ａの側縁と、第２平板部１１ｂの側縁とが接続され、上面視でＬ字形状に形成されている。
【００２４】
孔部１１ｃは、第１平板部１１ａと第２平板部１１ｂとの接続部分における、中央部に対して上方寄りと下方寄りのそれぞれの部位に形成された貫通孔である。
【００２５】
固定部１２は、平板状の矩形の金属板からなり、中央に孔部１２ａが形成されている。固定部１２は、本体部１１の内側における上部及び下部にそれぞれ配置され、第１平板部１１ａの内面と、第２平板部１１ｂの内面とに溶接等によって接続される。このとき、孔部１２ａ及び孔部１１ｃを通る仮想直線は、第１平板部１１ａと第２平板部１１ｂとの接続部分に対して直交し、第１平板部１１ａ及び第２平板部１１ｂが延びる方向に対して４５度の方向を向いている。第１平板部１１ａ、第２平板部１１ｂ及び固定部１２によって囲まれた空間は、底面が直角二等辺三角形の三角柱状に形成される。
【００２６】
係止部１３は、円柱状の金属棒からなり、本体部１１の内側における上下方向の中央部に配置される。係止部１３の一方の端部は第１平板部１１ａの内面に、他方の端部は第２平板部１１ｂの内面とに溶接等によって接続される。ここで、係止部１３の両端面は楕円形であり、この楕円形の長軸方向は円柱の中心軸に対して４５度傾いている。このため、係止部１３の両端面と、第１平板部１１ａ及び第２平板部１１ｂの内面とが面接触する。係止部１３は、第１平板部１１ａと第２平板部１１ｂとによって直角二等辺三角形を形成し、当該直角二等辺三角形における斜辺となる。
【００２７】
図３は、支持金物１０を上面視した構成を示す平面図である。支持金物１０は、ねじ２０とセットで使用される。ねじ２０は、支持金物１０の孔部１２ａに挿通され、更に孔部１１ｃに挿通される。ねじ２０のねじ頭は固定部１２に係止され、ねじ２０の先端部は支持金物１０の外側に突出する。この状態で本体部１１を上面視した場合、図３に示すように、ねじ２０は、第１平板部１１ａと第２平板部１１ｂとの角度を二分する方向、すなわち第１平板部１１ａ及び第２平板部１１ｂに対して４５度の方向に延びる。
【００２８】
図４は、ワイヤ受けブラケット３０の外観を示す斜視図である。ワイヤ受けブラケット３０は、Ｌ字金具部３１と、補強部３２と、リング部３３と、を備えている。
【００２９】
Ｌ字金具部３１は、細長い平板状の金属板の長手方向の中央部に曲げを施してＬ字状に形成されており、平板部３１ａと、この平板部３１ａから９０度方向に延びる平板部３１ｂと、を備えている。平板部３１ａの板面の両端部に孔部３１ｃ、３１ｃが形成されている。平板部３１ｂの先端部に孔部３１ｄが形成されている。
【００３０】
補強部３２は、棒状の金属部材であり、補強部３２の両端部は平板部３１ａ及び平板部３１ｂの板面の端部に固定される。補強部３２の一方の端部は、平板部３１ａの上端側の孔部３１ｃ近傍に固定される。補強部３２の他方の端部は、平板部３１ｂの孔部３１ｄ近傍に固定される。
【００３１】
リング部３３は、Ｃ字状金具と、このＣ字状金具の一端と他端との隙間を開放状態及び閉鎖状態のいずれかに切り替える開閉部材と、を備えている。リング部３３は、孔部３１ｄに挿通させることで平板部３１ｂに取り付けられる。
【００３２】
次に、吊りシステム１の取り付けについて、図１〜図４を参照しながら説明する。
【００３３】
支持金物１０は、図１に示すように、２つの壁１０２、１０２が接続する入隅に取り付けられる。具体的に、第１平板部１１ａの外面を一方の壁１０２の壁面に当接させ、第２平板部１１ｂの外面を他方の壁１０２の壁面に当接させ、孔部１１ｃを２つの壁１０２、１０２が接続される境界部位に対向させる。そして、ねじ２０を孔部１２ａに挿通し、更に孔部１１ｃに挿通して、ねじ２０を回転させることにより、ねじ２０を柱１００にねじ込む。ねじ２０が柱１００に進入するにつれて固定部１２が入隅に向かって移動し、支持金物１０が２つの壁１０２、１０２に強く密着する。
【００３４】
ワイヤ受けブラケット３０は、平板部３１ａを壁１０２に当接させて、孔部３１ｃ、３１ｃに図示しないねじを挿通させてねじ止めすることにより、壁１０２に固定される。このとき、平板部３１ｂは、平板部３１ａに基端が接続され、先端側が壁から離れる方向に突出し、リング部３３は、平板部３１ｂの先端側に設けられる。
【００３５】
なお、平板部３１ａは、間柱１０１の部位に配置することが望ましい。これにより、ねじが間柱１０１に進入するため、平板部３１ａを壁１０２に強く密着させることが可能になる。これにより、ワイヤ受けブラケット３０のがたつきを抑えることが可能になる。
【００３６】
ワイヤ５０を支持するためには、支持金物１０を少なくとも二箇所の入隅に取り付ける必要がある。図１に示す例においては、三カ所の入隅に支持金物１０が取り付けられている。ここで、三カ所に取り付けられている支持金物１０をそれぞれ支持金物１０ａ、支持金物１０ｂ、支持金物１０ｃと称する。支持金物１０ａは、ワイヤ５０の一端部を支持する。支持金物１０ｂは、支持金物１０ａを取り付けた入隅の側方に位置する入隅に取り付けられている。支持金物１０ｃは、支持金物１０ａを取り付けた入隅の側方でかつ支持金物１０ｂを取り付けた入隅に対して対角に位置する入隅に取り付けられている。
【００３７】
ワイヤ受けブラケット３０は、支持金物１０ａと支持金物１０ｂとの間に配置される。支持金物１０ａ、１０ｂ、１０ｃ及びワイヤ受けブラケット３０は、床面に対してそれぞれ同じ高さに配置されている。
【００３８】
ワイヤ５０の両端部には図示しないフックが取り付けられており、一端部のフックが支持金物１０ａの係止部１３に係止される。ワイヤ５０の他端部は、ワイヤ受けブラケット３０のリング部３３に挿入され、支持金物１０ｂの係止部１３に掛け回されて支持金物１０ｃの係止部１３に係止される。これにより、ワイヤ５０が、支持金物１０ａと支持金物１０ｂの間、及び支持金物１０ｂと支持金物１０ｃの間に張設される。
【００３９】
このように、室内にワイヤ５０を張設することにより、ワイヤ５０に物品を吊り下げることが可能になる。ワイヤ５０に物品を吊り下げた場合、ブラケット３０のリング部３３を介して平板部３１ｂの先端部に下方の力が作用するが、補強部３２によって平板部３１ｂが撓むことが抑制される。
【００４０】
なお、図１は、室内にワイヤ５０を張設する一例を示すものに過ぎず、支持金物１０やワイヤ受けブラケット３０の配置を変えることによって、ワイヤ５０に吊り下げる物品に応じてワイヤ５０の方向や配置を変えることが可能になる。また、吊りシステム１は、ブラケット３０を省略し、複数の支持金物１０と、ワイヤ５０とで構成してもよい。
【００４１】
また、図２に示す支持金物１０や、ワイヤ受けブラケット３０においては、孔部１２ａや、孔部３１ｃが円形であるが、上下方向に対して直角方向に長い長孔として形成してもよい。これにより、ねじを柱１００や、間柱１０１にねじ込んでいる際に、支持金物１０や、ワイヤ受けブラケット３０が上下方向に対して直角方向に移動可能になり、高さ方向の位置調整行うことが容易になる。
【００４２】
以上、説明したように構成された本実施形態によれば、支持金物１０は、角部から直角方向に延びる２つの壁１０２、１０２の入隅に取り付けられ、ワイヤ５０を支持するものであり、板形状に形成され、外面が一方の壁１０２に当接する第１平板部１１ａと、板形状に形成され、外面が他方の壁１０２と当接する第２平板部１１ｂと、を備え、第１平板部１１ａの側縁と第２平板部１１ｂの側縁とが接続され、上面視でＬ字形状を形成し、第１平板部１１ａの内面と、第２平板部１１ｂの内面とに接続され、ねじ２０が挿通可能な孔部１２ａを有する固定部１２と、第１平板部１１ａの側縁と前記第２部材の側縁との接続部に形成され、孔部１２ａに挿通されたねじ２０が挿通される孔部１１ｃと、ワイヤ５０を係止する係止部を有する。
【００４３】
これにより、ねじ２０によって支持金物１０を壁１０２、１０２の入隅に固定する場合に、ねじ２０が入隅の背後に配置されている柱１００にねじ込まれる。しかも、ねじ２０が柱１００にねじ込まれることにより、ねじ２０の移動とともに固定部１２が入隅側に移動するため、第１平板部１１ａ及び第２平板部１１ｂが壁１０２、１０２に密着するようになり、支持金物１０のがたつきを軽減することが可能になる。よって、ワイヤ５０に物品を吊り下げても支持金物１０が簡単に外れることがない強い固定が実現可能になる。
【００４４】
また、複数の支持金物１０が、互いに異なる位置の複数の入隅にそれぞれ設けられ、ワイヤ５０が複数の支持金物１０によって支持される。これにより、支持金物１０の配置によって、ワイヤ５０に吊り下げる物品に応じて、ワイヤ５０の張り方を適宜設定することが可能になる。
【００４５】
また、ワイヤ受けブラケット３０は、互いに隣設する２つの支持金物１０ａ、１０ｂの間に配置され、壁１０２に固定される平板部３１ａと、平板部３１ａに基端が接続され、先端側が壁から離れる方向に突出する平板部３１ｂと、平板部３１ｂの先端側に設けられ、ワイヤ５０を保持するリング部３３と、を有する。これにより、ワイヤ５０の中央部の弛みを抑えることが可能になる。
【００４６】
以上、本考案の一実施形態について説明したが、本考案の実施形態は上述した実施形態に限るものではない。例えば、図２に示す支持金物１０における固定部１２の孔部１２ａの位置を上下方向に偏倚させ、ねじ２０を柱１００に対して斜め方向にねじ込むようにしてもよい。これにより、ワイヤ５０を鉛直方向に対して直角な水平方向に張設した場合に、ねじ２０に対してねじ２０の中心軸に沿った方向に張力が掛かることがなくなり、ねじ２０がワイヤ５０の張力によって外れることが低減される。
【００４７】
また、固定部１２に係止部１３としての機能を持たせてもよい。例えば、固定部１２に、ワイヤ５０の端部のフックを挿入可能な孔部を形成してもよい。これにより、係止部１３を省略することも可能である。
【００４８】
また、ワイヤ受けブラケット３０の代わりに図５に示すワイヤ受けブラケット４０を適用してもよい。
図５は、ワイヤ受けブラケット４０の外観を示す斜視図である。ワイヤ受けブラケット４０は、ベース部４１と、支持部４２と、補強部４５と、リング部４６と、を備えている。
【００４９】
ベース部４１は、平面視した場合にダイヤモンド形状をした五角形の平板状の金属板からなる。具体的にベース部４１は、正方形における一の角部を、この一の角部に隣合う２つの角を結ぶ対角線に対して平行に切断して欠落させてなるものである。ベース部４１における直角の３つの角部は円弧状に形成されている。ベース部４１における直角の３つの角部、及び欠落部分の縁部の中央に孔部４１ａが形成されている。なお、以下の説明の便宜上、欠落部分の縁部中央の孔部４１ａを下方孔部４１ａ、欠落部分に対して正方形の対角線方向に対向する角部の孔部４１ａを上方孔部４１ａと称する場合がある。
【００５０】
支持部４２は、長尺方向に延びる板状のレール体４３と、このレール体４３によってスライド可能に支持される長尺方向に延びる板状のスライダ４４と、を有する伸縮自在の部材である。レール体４３の基端部は、ベース部４１における正方形の中心に溶接等によって固定され、レール体４３はベース部４１の板面に対して直角方向に延びる。スライダ４４は、レール体４３の先端部から突出及び引き込み自在である。
【００５１】
レール体４３の先端部の板面には孔部４３ａが形成されており、スライダ４４の板面には複数の孔部４４ａが形成されている。複数の孔部４４ａは、スライダ４４の長尺方向に沿って並列している。孔部４３ａと孔部４４ａとは同形であり、スライダ４４を移動させて支持部４２を伸長させ、長さを調整しながら孔部４３ａと孔部４４ａとを一致させ、孔部４３ａ及び孔部４４ａにねじやビスを挿入することによって、レール体４３に対してスライダ４４が固定され、スライダ４４の移動が規制される。
【００５２】
補強部４５は、棒状の金属部材であり、補強部４５の一方の端部は、ベース部４１における上方孔部４１ａとレール体４３の基端の固定位置との間に固定され、補強部３２の他方の端部は、レール体４３に固定される。すなわち、上方孔部４１ａと、補強部４５の一方の端部と、レール体４３の基端と、下方孔部４１ａは、同一直線上に位置する。
【００５３】
リング部４６は、Ｃ字状金具からなり、このＣ字状金具の両端部がレール体４３の先端部に固定されている。このリング部４６にワイヤ５０が挿通される。
ワイヤ受けブラケット４０は、ワイヤ受けブラケット３０と同様に支持金物１０ａと支持金物１０ｂとの間に配置され、正方形の欠落部分を下方に向けてベース部４１を壁面に密着させ、孔部４１ａにねじを挿入して壁１０２にねじ止めすることによって固定される。なお、上方孔部４１ａ及び下方孔部４１ｂを間柱１０１の部位に配置し、上方孔部４１ａ及び下方孔部４１ｂに長めのねじを挿入して、このねじを間柱１０１にねじ込むことが望ましい。これにより、ワイヤ受けブラケット４０が壁面１０２から外れにくくなる。
【００５４】
そして、ワイヤ５０の一端部のフックが支持金物１０ａの係止部１３に係止される。ワイヤ５０の他端部は、ワイヤ受けブラケット４０のリング部４６に挿通され、支持金物１０ｂの係止部１３に掛け回されて支持金物１０ｃの係止部１３に係止される。これにより、ワイヤ５０が、支持金物１０ａと支持金物１０ｂの間、及び支持金物１０ｂと支持金物１０ｃの間に張設される。
【００５５】
なお、ワイヤ受けブラケット４０のリング部４６にワイヤ５０を挿通する際に、支持部４２の長さを予め調整してからワイヤ５０を挿通させても、リング部４６にワイヤ５０を挿通してから支持部４２の長さを調整してもよい。
【００５６】
このように構成されたワイヤ受けブラケット４０を使用することにより、支持部４２が伸縮自在であるため、壁面１０２とワイヤ５０との離間幅を調整したり、ワイヤ５０の張力を調整したりすることが可能になる。また、軽量な物品であれば、支持部４２に吊り下げることも可能である。
【００５７】
なお、ワイヤ受けブラケット３０とワイヤ受けブラケット４０とを併用してもよいことは言うまでもない。また、支持金物１０ａと支持金物１０ｂとの間にワイヤ受けブラケット３０あるいはワイヤ受けブラケット４０を複数配置することにより、複数のワイヤ受けブラケット３０、４０によって支持される区間のワイヤ５０を、壁面１０２に沿って延ばすことが可能になる。これにより、この区間のワイヤ５０をピクチャーレールとして使用することが可能になる。
【符号の説明】
【００５８】
１    吊りシステム
１０、１０ａ、１０ｂ、１０ｃ  支持金物
１１  本体部
１１ａ  第１平板部
１１ｂ  第２平板部
１１ｃ  孔部
１２  固定部
１２ａ  孔部
１３  係止部
２０  ねじ
３０、４０  ワイヤ受けブラケット
３１  Ｌ字金具部
３１ａ、３１ｂ  平板部
４１  ベース部
４２  支持部
４３  レール体
４４  スライダ
３３、４６  リング部
５０  ワイヤ
１００  柱
１０１  間柱
１０２  壁
【図１】
0003233290.tif 000003
【図２】
0003233290.tif 000004
【図３】
0003233290.tif 000005
【図４】
0003233290.tif 000006
【図５】
0003233290.tif 000007